(57)【要約】      （修正有）【課題】世代間のハンドオーバ命令メッセージの情報要素のサイズを小さくする。【解決手段】ＵＴＲＡＮ  ＲＲＣ“ＨＡＮＤＯＶＥＲ  ＴＯ  ＵＴＲＡＮ  ＣＯＭＭＡＮＤ”メッセージにおける情報要素のサイズが、ＵＴＲＡＮへの無線間接続技術ハンドオーバを実行しているユーザ機器による排他的な使用のためにＩＥパラメータの値のサブレンジをリザーブすることによって、小さくされる。スクランブルコード番号或いはＳ−ＲＮＴＩ番号の最小値は、１つのシステムネットワークからＵＴＲＡＮへのハンドオーバを実行するＵＥへの初期割当てのためにリザーブされる。ハンドオーバ手順の完了時、ＵＴＲＡＮは別のスクランブルコード番号或いはＳ−ＲＮＴＩ番号をそのＵＥに割当てることができる。その結果、ＩＥのサイズをかなり小さくすることにより、付加的なパラメータが同じメッセージにおいても用いられる。【選択図】図１
2011155668.tif 000002
【特許請求の範囲】
【請求項１】
第１のシステムネットワークからＵＴＲＡＮ（５０）へのハンドオーバ手順の性能を向上させる方法であって、
前記第１のシステムネットワークから前記ＵＴＲＡＮ（５０）へのハンドオーバを開始するハンドオーバ命令メッセージ（６０）を生成する工程と、
前記ハンドオーバ命令メッセージ（６０）において少なくとも１つの情報要素のサイズを小さくする工程と、
前記ハンドオーバ手順の前記実行のために前記ハンドオーバ命令メッセージ（６０）をユーザ機器（１０）に転送する工程とを有することを特徴とする方法。
【請求項２】
前記第１のシステムネットワークは、ＧＳＭネットワークを有していることを特徴とする請求項１に記載の方法。
【請求項３】
前記少なくとも１つの情報要素は、Ｓ−ＲＮＴＩ情報要素を有していることを特徴とする請求項１に記載の方法。
【請求項４】
前記少なくとも１つの情報要素は、スクランブルコード番号情報要素を有していることを特徴とする請求項１に記載の方法。
【請求項５】
前記ハンドオーバ命令メッセージは、ＨＡＮＤＯＶＥＲ  ＴＯ  ＵＴＲＡＮ  ＣＯＭＭＡＮＤ（６０）メッセージを有していることを特徴とする請求項１に記載の方法。
【請求項６】
前記転送する工程は、ＧＳＭ無線空中インタフェース（２６）によって前記ハンドオーバ命令メッセージを送信することを含んでいることを特徴とする請求項１に記載の方法。
【請求項７】
第１のシステムネットワークとＵＴＲＡＮ（５０）とユーザ機器（１０）とを含み、ハンドオーバ手順の性能を向上させるシステムであって、前記システムは、
前記第１のシステムネットワークから前記ＵＴＲＡＮ（５０）へのハンドオーバを開始するハンドオーバ命令メッセージ（６０）を生成する手段と、
前記ハンドオーバ命令メッセージ（６０）において少なくとも１つの情報要素のサイズを縮小する手段と、
前記ハンドオーバ手順の前記実行のために前記ハンドオーバ命令メッセージ（６０）を前記ユーザ機器に転送する手段とを有することを特徴とするシステム。
【請求項８】
前記第１のシステムネットワークは、ＧＳＭネットワークを有していることを特徴とする請求項７に記載のシステム。
【請求項９】
前記少なくとも１つの情報要素は、Ｓ−ＲＮＴＩ情報要素を有していることを特徴とする請求項７に記載のシステム。
【請求項１０】
前記少なくとも１つの情報要素は、スクランブルコード番号情報要素を有していることを特徴とする請求項７に記載のシステム。
【請求項１１】
前記ハンドオーバ命令メッセージは、ＨＡＮＤＯＶＥＲ  ＴＯ  ＵＴＲＡＮ  ＣＯＭＭＡＮＤ（６０）メッセージを有していることを特徴とする請求項７に記載のシステム。
【請求項１２】
前記転送する手段は、ＧＳＭ無線空中インタフェース（２６）によって前記ハンドオーバ命令メッセージ（６０）を送信する手段を有していることを特徴とする請求項７に記載のシステム。
【発明の詳細な説明】
【技術分野】
【０００１】
発  明  の  背  景
発明の技術分野
本発明は一般的には移動通信の分野に関し、特に、異なる移動通信システム間のハンドオーバの性能を向上させる方法とシステムに関する。
【背景技術】
【０００２】
関連技術の説明
汎欧州デジタル移動電話方式（ＧＳＭ）のネットワークから世界的規模の移動体通信サービスの地上無線アクセス網（ＵＴＲＡＮ）へ移動端末のハンドオーバを実行する一方で、ＵＴＲＡＮの無線リソース制御（ＲＲＣ）“ＨＡＮＤＯＶＥＲ  ＴＯ  ＵＴＲＡＮ  ＣＯＭＭＡＮＤ”メッセージがＧＳＭネットワークを介して移動端末に転送されることになる。適切な性能を得るために、ＵＴＲＡＮ  ＲＲＣメッセージが分割されていないＧＳＭ無線空中インタフェースのメッセージ内でその移動端末へと転送されることが不可欠である。しかしながら、ＧＳＭでは、その空中インタフェースの信号発信では“１”のウィンドウサイズを用いている。そういうものとして、ＧＳＭの基地局制御局（ＢＳＣ）は、第１のメッセージ・セグメントに対する確認応答メッセージを受信するのに先立って、第２のメッセージ・セグメントを転送することはないであろう。その結果、もしアップリンク接続がハンドオーバが開始されたときに相対的に品質がよくなければ、ＢＳＣは第１のメッセージ・セグメントに対する確認応答を決して受信することはないであろうし、従って、第２のメッセージ・セグメントを移動端末に伝えることはできないであろう。それにもかかわらず、ＵＴＲＡＮ  ＲＣＣメッセージが分割されていないＧＳＭ無線空中インタフェースのメッセージにぴったり合致している場合、ハンドオーバはＧＳＭアップリンク接続の品質に係らず、実行される。
【０００３】
性能の問題を回避するために、ＵＴＲＡＮ  ＲＣＣ  ＨＮＡＤＯＶＥＲ  ＴＯ  ＵＴＲＡＮ  ＣＯＭＭＡＮＤメッセージのサイズは１８オクテット或いは１４４ビット未満であるべきである。この結果は、予め定義されたパラメータ設定を用いてハンドオーバ手順が完了後に情報を転送することにより得られる。しかしながら、この予め定義されたパラメータ設定を用いるやり方は柔軟性をわるくし、もし、不可欠ではないある機能（例えば、マルチプル無線リンク、ＳＳＤＴなど）の起動がハンドオーバ手順の完了まで延期されたなら、ハンドオーバ性能は低下してしまう。
【発明の概要】
【発明が解決しようとする課題】
【０００４】
あるネットワーク運用者は、マルチプルＧＳＭメッセージ・セグメントの使用に関連した問題を回避するよりも、それらの機能を即座に起動することを重要なことに考えている。これら特定の運用者をサポートするために、随意のパラメータについて余裕をもたせておくことができる。しかしながら、随意のパラメータの使用は、そのようなパラメータがメッセージに含まれないときであってさえも、メッセージ長が長くなってしまうという結果を招いてしまう。言い換えると、随意パラメータの使用はメッセージサイズを最小にすることに悪い影響を及ぼす。現在、今の技術水準でも、その使用はもはやメッセージが１つのセグメント内に収まることはないことを意味しているので、所望のオプションのパラメータ全てを使用することは不可能である。従って、ハンドオーバメッセージが付加的な（例えば、オプションの）パラメータを含む余裕をもつことによって解決を図る必要がある。以下に詳述するように、本発明は上述した問題とそれに関連する問題をうまく解決している。
【課題を解決するための手段】
【０００５】
発  明  の  要  約
本発明の好適な実施形態に従えば、ＵＴＲＡＮ  ＲＲＣ  ＨＡＮＤＯＶＥＲ  ＴＯ  ＵＴＲＡＮ  ＣＯＭＭＡＮＤメッセージにおけるある（例えば、Ｓ−ＲＮＴＩとスクランブルコード番号）情報要素（ＩＥ）のサイズが、ＵＴＲＡＮへの無線間接続技術（ＲＡＴ；inter-Radio Access Technology）ハンドオーバを実行しているユーザ機器（ＵＥ）による排他的な使用のためにＩＥパラメータの値のサブレンジをリザーブすることによって、小さくされる。例えば、スクランブルコード番号、或いは、サービスを提供している無線網臨時識別（Ｓ−ＲＮＴＩ）番号、これはユニバーサルなＲＮＴＩ（Ｕ−ＲＮＴＩ）番号の一部なのであるが、その最小値が、ＵＴＲＡＮへのハンドオーバを実行するＵＥへの初期割当てのためにリザーブされる。そのハンドオーバ手順の完了時、ＵＴＲＡＮは別のスクランブルコード番号或いはＳ−ＲＮＴＩ番号をそのＵＥに割当てることができる。その結果、ＨＡＮＤＯＶＥＲ  ＴＯ  ＵＴＲＡＮ  ＣＯＭＭＡＮＤメッセージにおいて用いられるＩＥのサイズをかなり小さくすることにより、付加的な（例えば、オプションの）パラメータが用いられても良い。そのようなものとして、ＨＡＮＤＯＶＥＲ  ＴＯ  ＵＴＲＡＮ  ＣＯＭＭＡＮＤメッセージにおいて利用可能になる空間が、予め定義された無線構成の使用を回避するためのオプションを創成するのに用いられても良く、これは柔軟性を増す結果になる。
【０００６】
本発明の重要な技術的利点は、他のシステムネットワークからＵＴＲＡＮへのハンドオーバ手順の品質がかなり改善される点である。
【０００７】
本発明の別の重要な技術的利点は、改善されたハンドオーバ命令メッセージがシステムネットワークからＵＥへと分割されていない空中インタフェースメッセージ内で送信される点である。
【０００８】
本発明のさらに別の重要な技術的利点は、システムからＵＥへのハンドオーバ命令メッセージにオプションのパラメータを含むことができ、これが他のシステムネットワークからＵＴＲＡＮへのハンドオーバ性能を向上させる点である。
【０００９】
本発明のさらに別の重要な技術的利点は、ハンドオーバ命令メッセージにおける情報要素のサイズを小さくでき、１個の分割されていないメッセージが（ＧＳＭ）無線空中インタフェースによってそっくりそのまま完全に転送できる点である。
【００１０】
本発明の方法と装置のより完全な理解は添付図面に関連してとられた次の詳細な説明を参照して得られるかもしれない。
【図面の簡単な説明】
【００１１】
【図１】本発明の好適な実施形態を図示するために用いられるブロック図である。
【図２】本発明の好適な実施形態を図示するために用いられるタイムシーケンスの図である。
【発明を実施するための形態】
【００１２】
図  面  の  詳  細  な  説  明
本発明の好適な実施形態とその利点とは、添付図面の図１〜図２を参照することにより最も良く理解されるが、その図面において、同じ番号はそれらの図面の同様のまた対応する部分に対して用いられている。
【００１３】
本質的には、本発明の好適な実施形態に従えば、ＵＴＲＡＮ  ＲＲＣ  “ＨＡＮＤＯＶＥＲ  ＴＯ  ＵＴＲＡＮ  ＣＯＭＭＡＮＤ”メッセージにおけるあるＩＥ（例えば、Ｓ−ＲＮＴＩとスクランブルコード番号）のサイズは、ＵＴＲＡＮへの無線間接続技術（inter-ＲＡＴ）ハンドオーバを実行しているＵＥによる排他的な使用のためにＩＥパラメータの値のサブレンジをリザーブすることによって小さくされる。例えば、スクランブルコード番号（或いはＳ−ＲＮＴＩ番号）の最小値は、ＵＴＲＡＮへのハンドオーバを実行するＵＥへの初期割当てのためにリザーブされる。ハンドオーバ手順の完了時、ＵＴＲＡＮは別のスクランブルコード番号（或いはＳ−ＲＮＴＩ番号）をそのＵＥに割当てることができる。その結果、ＲＲＣ  ＨＡＮＤＯＶＥＲ  ＴＯ  ＵＴＲＡＮ  ＣＯＭＭＡＮＤメッセージにおいて用いられるＩＥのサイズをかなり小さくすることにより、付加的な（例えば、オプションの）パラメータが同じハンドオーバ命令メッセージによって取得されても良い。そのようなものとして、ＨＡＮＤＯＶＥＲ  ＴＯ  ＵＴＲＡＮ  ＣＯＭＭＡＮＤメッセージにおいて利用可能になる空間が、予め定義された無線構成の使用を回避するためのオプションを創成するのに用いられても良く、これは柔軟性を増す結果になる。
【００１４】
特に、図１は本発明の好適な実施形態を図示するために用いられるブロック図である。この代表的な実施形態について、ＵＥ（例えば、移動端末）１０は、第１のシステム（例えば、ＧＳＭ）ネットワーク２０からＵＴＲＡＮ５０へのシステム間ハンドオーバを実行することになる。その手順は、第１のシステム２０がＵＥ１０にＵＴＲＡＮ５０へのハンドオーバを実行するように命令するときに開始される。外部システムからＵＴＲＡＮへのハンドオーバについて、ハンドオーバ手順はＵＴＲＡＮ  ＲＲＣ  プロトコル仕様ＴＳ２５．３３１に従って実行されることになるのが好ましい。
【００１５】
図２は、本発明の好適な実施形態を図示するために用いられるタイムシーケンスの図である。図１と図２において、第１の無線接続システム（例えば、ＧＳＭ）ネットワーク２０からＵＴＲＡＮ５０へのシステム間ハンドオーバを開始するために、第１のシステムネットワーク２０は“ＨＡＮＤＯＶＥＲ  ＴＯ  ＵＴＲＡＮ  ＣＯＭＭＡＮＤ”メッセージ６０を無線空中インタフェース２６によって（存在している接続で）ＵＥ１０に送信する。次の情報がメッセージ６０（必ずしもこれに限定される必要はないが）に含まれる。即ち、割当てられることになるＩＥ“Ｕ−ＲＮＴＩ”、用いられることになる無線基地局、トラフィックチャネル、物理チャネルパラメータの予め定義された構成を示すＩＥ“所定の無線構成識別(Predefined radio configuration identity)”、及び（スクランブルコード番号を含む）物理チャネル（ＰｈｙＣＨ）ＩＥである。
【００１６】
本発明の好適な実施形態に従えば、第１のシステムからＵＴＲＡＮへのハンドオーバ手順の間に、ＵＴＲＡＮ５０はまず、この種のハンドオーバ手順では排他的に定義されるあるサブレンジ内にある“Ｓ−ＲＮＴＩ”と“スクランブルコード番号”ＩＥについての値を割当てる。例示として、ＧＳＭネットワーク（２０）からＵＴＲＡＮ（５０）への上述したサブレンジを用いたＵＥ（１０）のハンドオーバについて、“Ｕ−ＲＮＴＩ”ＩＥのサイズは、“Ｕ−ＲＮＴＩ”ＩＥの“Ｓ−ＲＮＴＩ”ＩＥの部分を３２ビットから１０ビット／１０２４値に小さくすることにより小さくなり、“スクランブルコード番号”ＩＥのサイズは２４ビットから１３ビット／最大８１９２値に小さくされる。この時点で、上述した番号と値との少なくともいずれかは、ただ例示を目的としたものであり、本発明についての限定を意図したものではないことに留意することは重要である。（通常、“Ｕ−ＲＮＴＩ”ＩＥの現在の“Ｓ−ＲＮＴＩ”ＩＥ部分は０〜４０９５の間の値をもち、“スクランブルコード番号”は０〜６５５３５の間の値をもつ。）この代表的な実施形態について、“Ｓ−ＲＮＴＩ”及び“スクランブルコード番号”についての最小値が最初ハンドオーバ手順に用いられるのが好ましい。このようにして、ハンドオーバ命令メッセージ６０についてＩＥのサイズが、そのメッセージに付加的な（例えば、オプションの）ＩＥが今や含まれる余裕がある程度にまでかなり小さくされる。
【００１７】
例えば、この代表的な実施形態に従えば、次の付加的な情報が今やハンドオーバ命令メッセージ６０（必ずしもこれに限定される訳ではないが）に含まれる。即ち、ダウンリンクＤＰＣＨ圧縮モード情報、ＳＳＤＴ指示情報などである。このようにして、第１のシステム（例えば、ＧＳＭ）ネットワークからＵＴＲＡＮへのハンドオーバの品質がかなり改善される。
【００１８】
一旦、ＵＥ１０が“ＨＡＮＤＯＶＥＲ  ＴＯ  ＵＴＲＡＮ  ＣＯＭＭＡＮＤ”メッセージ６０を受信したなら、ＵＥは、（局部的に）“Ｕ−ＲＮＴＩ”ＩＥの値を格納する。それから、“所定の無線構成識別”ＩＥとＰｓｙＣＨ．ＩＥによって識別される予め定義されたパラメータに従って、ＵＥはＵＴＲＡＮ５０、無線基地局、及びトラフィックチャネルとの信号リンクを開始する。ＵＥはまた、上述したＲＲＣプロトコル仕様に従ってハンドオーバ手順に関係した他の機能をも実行する。
【００１９】
もしＵＥ１０がＵＴＲＡＮ５０への接続をうまく確立したなら、ＵＥ１０はアップリンク専用制御チャネル（ＤＣＣＨ）で“ＨＡＮＤＯＶＥＲ  ＣＯＭＰＬＥＴＥ”メッセージ７０を送信する。ＵＴＲＡＮ無線リンク制御（ＲＬＣ）（不図示）は“ＨＡＮＤＯＶＥＲ  ＣＯＭＰＬＥＴＥ”メッセージ７０の受信を確認し、そのハンドオーバは終了する。ハンドオーバ手順の完了時、ＵＴＲＡＮは他のスクランブルコード番号或いはＳ−ＲＮＴＩ番号をそのＵＥに割当てることができる。
【００２０】
これに対して、もしＵＥ１０がＵＴＲＡＮ５０への接続を確立するのに成功しないなら、ＵＥはハンドオーバ手順を終了させ、関連する資源を解放する。それから、ＵＥ１０はハンドオーバ手順が開始される前に用いられた接続を回復させ、他の無線接続システム（例えば、ＧＳＭ）ネットワーク２０に接続の失敗を示す。
【００２１】
本発明の方法と装置の好適な実施形態を添付図面と上述の詳細な説明において例示して説明したが、本発明は開示された実施形態によって限定されるものではなく、請求の範囲によって説明され定義されているように、本発明の精神を逸脱することなく、数多くの再構成、変形、代用が可能であることが理解されよう。
【図１】
2011155668.tif 000003
【図２】
2011155668.tif 000004
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
ユーザ機器（１０）の第１のシステムネットワークからＵＴＲＡＮ（５０）へのハンドオーバ手順の間の実行性能を向上させる方法であって、
前記第１のシステムネットワークから前記ＵＴＲＡＮ（５０）へのハンドオーバを開始するハンドオーバ命令メッセージ（６０）を生成する工程と、
前記ハンドオーバ手順のために定義される各情報要素に関し、前記ハンドオーバ命令メッセージ（６０）において、前記ハンドオーバ手順のために定義される情報要素の値のレンジの一定のサブレンジの内にある少なくとも１つの値を割当てる工程と、
前記ハンドオーバ手順を実行するために、前記割当てられた情報要素を含む前記ハンドオーバ命令メッセージ（６０）をユーザ機器（１０）に転送する工程とを有することを特徴とする方法。
【請求項２】
前記第１のシステムネットワークは、ＧＳＭネットワークを有していることを特徴とする請求項１に記載の方法。
【請求項３】
前記少なくとも１つの情報要素は、Ｓ−ＲＮＴＩ情報要素を有していることを特徴とする請求項１に記載の方法。
【請求項４】
前記少なくとも１つの情報要素は、スクランブルコード番号情報要素を有していることを特徴とする請求項１に記載の方法。
【請求項５】
前記ハンドオーバ命令メッセージは、ＨＡＮＤＯＶＥＲ  ＴＯ  ＵＴＲＡＮ  ＣＯＭＭＡＮＤ（６０）メッセージを有していることを特徴とする請求項１に記載の方法。
【請求項６】
前記転送する工程は、ＧＳＭ無線空中インタフェース（２６）によって前記ハンドオーバ命令メッセージを送信することを含んでいることを特徴とする請求項１に記載の方法。
【請求項７】
第１のシステムネットワークとＵＴＲＡＮ（５０）とユーザ機器（１０）とを含み、ハンドオーバ手順の間の実行性能を向上させるシステムであって、前記システムは、
前記第１のシステムネットワークから前記ＵＴＲＡＮ（５０）へのハンドオーバを開始するハンドオーバ命令メッセージ（６０）を生成し、
前記ハンドオーバ手順のために定義される各情報要素に関し、前記ハンドオーバ命令メッセージ（６０）において、前記ハンドオーバ手順のために定義される情報要素の値のレンジの一定のサブレンジの内にある少なくとも１つの値を割当て、
前記ハンドオーバ手順を実行するために、前記割当てられた情報要素を含む前記ハンドオーバ命令メッセージ（６０）を前記ユーザ機器（１０）に転送するよう構成されていることを特徴とするシステム。
【請求項８】
前記第１のシステムネットワークは、ＧＳＭネットワークを有していることを特徴とする請求項７に記載のシステム。
【請求項９】
前記少なくとも１つの情報要素は、Ｓ−ＲＮＴＩ情報要素を有していることを特徴とする請求項７に記載のシステム。
【請求項１０】
前記少なくとも１つの情報要素は、スクランブルコード番号情報要素を有していることを特徴とする請求項７に記載のシステム。
【請求項１１】
前記ハンドオーバ命令メッセージは、ＨＡＮＤＯＶＥＲ  ＴＯ  ＵＴＲＡＮ  ＣＯＭＭＡＮＤ（６０）メッセージを有していることを特徴とする請求項７に記載のシステム。
【請求項１２】
前記転送することは、ＧＳＭ無線空中インタフェース（２６）によって前記ハンドオーバ命令メッセージ（６０）を送信することを含んでいることを特徴とする請求項７に記載のシステム。
【請求項１３】
第１のシステムネットワークからＵＴＲＡＮ（５０）へのハンドオーバ手順の間の実行性能を向上させるユーザ機器（１０）における方法であって、
前記ハンドオーバ手順のために定義され、前記ＵＴＲＡＮ（５０）により割当てられた複数の情報要素を含むハンドオーバ命令メッセージ（６０）を受信する工程と、
前記複数の情報要素各々の値を格納する工程と、
前記ＵＴＲＡＮ（５０）への接続を確立するために前記ハンドオーバ手順に関係した、前記ＵＴＲＡＮ（５０）との信号リンクを開始する工程とを有し、
前記複数の情報要素各々は、前記ハンドオーバ手順のために定義される情報要素の値のレンジの一定のサブレンジの内にある少なくとも１つの値をもつことを特徴とする方法。
【請求項１４】
前記ユーザ機器（１０）が前記ＵＴＲＡＮ（５０）との接続を確立するのに成功したなら、アップリンク専用制御チャネル（ＤＣＣＨ）でハンドオーバ完了メッセージを送信する工程をさらに有することを特徴とする請求項１３に記載の方法。
【請求項１５】
前記ユーザ機器（１０）が前記ＵＴＲＡＮ（５０）との接続を確立するのに失敗したなら、前記ハンドオーバ手順を終了し、関係する資源を解放する工程をさらに有することを特徴とする請求項１３に記載の方法。
【請求項１６】
第１のシステムネットワークからＵＴＲＡＮ（５０）へのハンドオーバ手順の間の実行性能を向上させるユーザ機器（１０）であって、前記ユーザ機器（１０）は、
前記ハンドオーバ手順のために定義され、前記ＵＴＲＡＮ（５０）により割当てられた複数の情報要素を含むハンドオーバ命令メッセージ（６０）を受信し、
前記複数の情報要素各々の値を格納し、
前記ＵＴＲＡＮ（５０）への接続を確立するために前記ハンドオーバ手順に関係した、前記ＵＴＲＡＮ（５０）との信号リンクを開始するよう構成され、
前記複数の情報要素各々は、前記ハンドオーバ手順のために定義される情報要素の値のレンジの一定のサブレンジの内にある少なくとも１つの値をもつことを特徴とするユーザ機器。
【請求項１７】
前記ユーザ機器（１０）はさらに、前記ユーザ機器（１０）が前記ＵＴＲＡＮ（５０）との接続を確立するのに成功したなら、アップリンク専用制御チャネル（ＤＣＣＨ）でハンドオーバ完了メッセージを送信するよう構成されていることを特徴とする請求項１６に記載のユーザ機器。
【請求項１８】
前記ユーザ機器（１０）はさらに、前記ユーザ機器（１０）が前記ＵＴＲＡＮ（５０）との接続を確立するのに失敗したなら、前記ハンドオーバ手順を終了し、関係する資源を解放するよう構成されていることを特徴とする請求項１６に記載のユーザ機器。
【外国語明細書】
2011155668000001.pdf